【手続補正書】
【提出日】平成30年5月2日(2018.5.2)
【手続補正１】
【補正対象書類名】明細書
【補正対象項目名】００４３
【補正方法】変更
【補正の内容】
【００４３】
上記の実施形態のいずれかに関して記載されたいずれかの特徴又は特性は、個々に、又は他のいずれかの特徴又は特性と組み合わせて組み込むことができ、単に明確にするために上記の順番及び組み合わせで提示されている。すなわち、本開示は、本明細書で説明する代表的な実施形態及び構成要素の各々に関する多種多様な特徴のあらゆる可能な組み合わせ及び配置を企図しており、特定の用途に望ましい場合、各構成要素を任意の他の構成要素と組み合わせるか又は併用することができる。
以下、本発明の態様について説明する。
〔態様１〕
ステムと、
前記ステムに取り付けられた音響減衰本体であって、先端部と、基端部と、前記先端部と前記基端部との間で延びる長手方向軸線と、前記ステム上方を少なくとも部分的に延在し、外側フランジ表面、及び突出部又は陥没部のうち一方又は両方を複数有する内側フランジ表面を含むフランジと、を含む音響減衰本体と、
前記ステム周囲の前記内側フランジ表面と前記ステムとの間に連続的体積を含むフランジ空洞部と、を備え、
前記内側フランジ表面と前記外側フランジ表面との間の距離が、前記長手方向軸線を横断して前記フランジと交差する平面において前記フランジの外周の周りで変化する、耳栓。
〔態様２〕
前記フランジが前記外側フランジ表面と前記内側フランジ表面との間で前記長手方向軸線を横断して前記フランジと交差する前記平面において最小フランジ厚さ（Ｆｍｉｎ）及び最大フランジ厚さ（Ｆｍａｘ）を有し、１．５ｍｍ＜（Ｆｍａｘ）＜５ｍｍであり、０．５ｍｍ＜（Ｆｍｉｎ）＜１．５ｍｍである、態様１に記載の耳栓。
〔態様３〕
２．０ｍｍ＜（Ｆｍａｘ）＜４．５ｍｍである、態様１に記載の耳栓。
〔態様４〕
前記フランジの前記基端部の最近位で２．０ｍｍ＜（Ｆｍａｘ）＜４．５ｍｍである、態様１に記載の耳栓。
〔態様５〕
（Ｆｍａｘ）及び（Ｆｍｉｎ）が前記フランジ空洞部の底面と前記フランジの基端部との間で変化する、態様１に記載の耳栓。
〔態様６〕
前記フランジが、前記ステムの長手方向軸線を横断して前記フランジと交差する前記平面において２つの隣接する最小フランジ厚さ（Ｆｍｉｎ）の位置の間で測定された幅（ｗ）を示す突出部を含み、２ｍｍ＜（ｗ）＜８ｍｍである、態様１に記載の耳栓。
〔態様７〕
前記フランジの前記基端部の最近位で２ｍｍ＜（ｗ）＜８ｍｍである、態様６に記載の耳栓。
〔態様８〕
前記フランジがフランジ縦横比（ｗ／Ｆｍａｘ）を示し、０．７５＜（ｗ／Ｆｍａｘ）＜３である、態様１に記載の耳栓。
〔態様９〕
中立形態では前記内側フランジ表面が前記ステムと接触せず、圧縮形態では前記内側フランジ表面が少なくとも部分的に前記ステムと接触する、態様１に記載の耳栓。
〔態様１０〕
前記内側フランジ表面が少なくとも部分的に前記ステムと接触するように、前記フランジが前記フランジ空洞部の内部に圧潰するよう構成されている、態様１に記載の耳栓。
〔態様１１〕
前記内側フランジ表面が、三角形、弓形、歯車の歯形、及び四辺形からなる群から選択される形状で構成される、態様１に記載の耳栓。
〔態様１２〕
前記ステムが、第１材料から製造されるコア、及び第２材料から製造される外層を含む、態様１に記載の耳栓。
〔態様１３〕
前記コアが、ポリプロピレン及びスチレン−エチレン−ブチレン−スチレン（ＳＥＢＳ）からなる群から選択される材料を含む、態様１２に記載の耳栓。
〔態様１４〕
前記音響減衰本体が発泡体を含む、態様１に記載の耳栓。
〔態様１５〕
前記音響減衰本体が、スチレン−エチレン−ブチレン−スチレン（ＳＥＢＳ）を含む、態様１に記載の耳栓。
〔態様１６〕
前記先端部と前記フランジ空洞部との間に先端領域を更に含み、前記先端領域が圧潰可能体積を含む空洞部のアレイを含む、態様１に記載の耳栓。
〔態様１７〕
前記空洞部のアレイが４〜１６個の空洞部を含む、態様１６に記載の耳栓。
〔態様１８〕
第１材料から製造されるコア及び第２材料から製造される外層を含むステムと、
前記ステムに取り付けられた音響減衰本体であって、先端部と、基端部と、前記先端部と前記基端部との間で延びる長手方向軸線と、前記ステム上方を少なくとも部分的に延在し、外側フランジ表面、及び突出部又は陥没部のうち一方又は両方を複数有する内側フランジ表面を含むフランジと、を含む音響減衰本体と、
前記ステム周囲の前記内側フランジ表面と前記ステムとの間に連続的体積を含むフランジ空洞部と、を備え、
前記フランジが、前記外側フランジ表面と前記内側フランジ表面との間で前記長手方向軸線を横断して前記フランジを貫く平面において最小フランジ厚さ（Ｆｍｉｎ）及び最大フランジ厚さ（Ｆｍａｘ）を有し、前記フランジが、前記ステムの長手方向軸線を横断して前記フランジと交差する前記平面において２つの隣接する最小フランジ厚さ（Ｆｍｉｎ）の位置の間で測定された幅（ｗ）を示す突出部を含み、１．５ｍｍ＜（Ｆｍａｘ）＜５ｍｍであり、０．５ｍｍ＜（Ｆｍｉｎ）＜１．５ｍｍであり、２ｍｍ＜（ｗ）＜８ｍｍである、聴覚保護装置。
【手続補正２】
【補正対象書類名】特許請求の範囲
【補正対象項目名】全文
【補正方法】変更
【補正の内容】
【特許請求の範囲】
【請求項１】
ステムと、
前記ステムに取り付けられた音響減衰本体であって、先端部と、基端部と、前記先端部と前記基端部との間で延びる長手方向軸線と、前記ステム上方を少なくとも部分的に延在し、外側フランジ表面、及び突出部又は陥没部のうち一方又は両方を複数有する内側フランジ表面を含むフランジと、を含む音響減衰本体と、
前記ステム周囲の前記内側フランジ表面と前記ステムとの間に連続的体積を含むフランジ空洞部と、を備え、
前記内側フランジ表面と前記外側フランジ表面との間の距離が、前記長手方向軸線を横断して前記フランジと交差する平面において前記フランジの外周の周りで変化する、耳栓。
【請求項２】
前記フランジが前記外側フランジ表面と前記内側フランジ表面との間で前記長手方向軸線を横断して前記フランジと交差する前記平面において最小フランジ厚さ（Ｆｍｉｎ）及び最大フランジ厚さ（Ｆｍａｘ）を有し、１．５ｍｍ＜（Ｆｍａｘ）＜５ｍｍであり、０．５ｍｍ＜（Ｆｍｉｎ）＜１．５ｍｍである、請求項１に記載の耳栓。
【請求項３】
２．０ｍｍ＜（Ｆｍａｘ）＜４．５ｍｍである、請求項１に記載の耳栓。
【請求項４】
前記フランジの前記基端部の最近位で２．０ｍｍ＜（Ｆｍａｘ）＜４．５ｍｍである、請求項１に記載の耳栓。
【請求項５】
（Ｆｍａｘ）及び（Ｆｍｉｎ）が前記フランジ空洞部の底面と前記フランジの基端部との間で変化する、請求項１に記載の耳栓。
【請求項６】
前記フランジが、前記ステムの長手方向軸線を横断して前記フランジと交差する前記平面において２つの隣接する最小フランジ厚さ（Ｆｍｉｎ）の位置の間で測定された幅（ｗ）を示す突出部を含み、２ｍｍ＜（ｗ）＜８ｍｍである、請求項１に記載の耳栓。
【請求項７】
前記フランジの前記基端部の最近位で２ｍｍ＜（ｗ）＜８ｍｍである、請求項６に記載の耳栓。
【請求項８】
前記フランジがフランジ縦横比（ｗ／Ｆｍａｘ）を示し、０．７５＜（ｗ／Ｆｍａｘ）＜３である、請求項１に記載の耳栓。
【請求項９】
中立形態では前記内側フランジ表面が前記ステムと接触せず、圧縮形態では前記内側フランジ表面が少なくとも部分的に前記ステムと接触する、請求項１に記載の耳栓。
【請求項１０】
第１材料から製造されるコア及び第２材料から製造される外層を含むステムと、
前記ステムに取り付けられた音響減衰本体であって、先端部と、基端部と、前記先端部と前記基端部との間で延びる長手方向軸線と、前記ステム上方を少なくとも部分的に延在し、外側フランジ表面、及び突出部又は陥没部のうち一方又は両方を複数有する内側フランジ表面を含むフランジと、を含む音響減衰本体と、
前記ステム周囲の前記内側フランジ表面と前記ステムとの間に連続的体積を含むフランジ空洞部と、を備え、
前記フランジが、前記外側フランジ表面と前記内側フランジ表面との間で前記長手方向軸線を横断して前記フランジを貫く平面において最小フランジ厚さ（Ｆｍｉｎ）及び最大フランジ厚さ（Ｆｍａｘ）を有し、前記フランジが、前記ステムの長手方向軸線を横断して前記フランジと交差する前記平面において２つの隣接する最小フランジ厚さ（Ｆｍｉｎ）の位置の間で測定された幅（ｗ）を示す突出部を含み、１．５ｍｍ＜（Ｆｍａｘ）＜５ｍｍであり、０．５ｍｍ＜（Ｆｍｉｎ）＜１．５ｍｍであり、２ｍｍ＜（ｗ）＜８ｍｍである、聴覚保護装置。